(57)【要約】【課題】ループ状に形成したチェーンが内部にゴム質材を装填した装飾体から容易に移動することが無く、装飾体内のゴム質材が使用過程で離脱することのないチェーン状装飾具を提供する。【解決手段】上記課題を解決するため、真珠、貴石、貴金属などの装飾体に形成した一対の開口を有する空洞部と、この空洞部に装填されたシリコンゴムなどのエラストマー体と、上記エラストマー体に形成され上記一対の開口に連なる貫通孔と、上記貫通孔に挿通され中央部に環状ループを形成するチェーンとを備える。そして上記エラストマー体は、上記空洞部に上記開口から充填された未架橋状態のエラストマー材料を加熱架橋して形成し、このエラストマー体に形成した貫通孔に上記チェーンの両端部をそれぞれ挿通する。【選択図】図３
2005058799.tif 000002
【特許請求の範囲】
【請求項１】
真珠、貴石、貴金属などの装飾体に形成した一対の開口を有する空洞部と、
この空洞部に装填されたシリコンゴムなどのエラストマー体と、
上記エラストマー体に形成され上記一対の開口に連なる貫通孔と、
上記貫通孔に挿通され中央部に環状ループを形成するチェーンとから成り、
上記チェーンは両端部をそれぞれ上記エラストマー体の貫通孔に挿通され、
上記エラストマー体は、上記空洞部に上記開口から充填された未架橋状態のエラストマー材料を加熱架橋して形成されていることを特徴とするチェーン状装飾具。
【請求項２】
真珠、貴石、貴金属などの装飾体に形成した一対の開口を有する空洞部と、
この空洞部に装填されたシリコンゴムなどのエラストマー体と、
上記エラストマー体に形成され上記一対の開口に連なる貫通孔と、
上記貫通孔に挿通され先端部に環状ループを形成するチェーンとから成り、
上記チェーンは一端部を上記装飾体に固定され、環状に形成されたチェーンの他端部は上記エラストマー体の貫通孔に挿通され、
上記エラストマー体は、上記空洞部に上記開口から充填された未架橋状態のエラストマー材料を加熱架橋して形成されていることを特徴とするチェーン状装飾具。
【請求項３】
前記開口は前記エラストマー体に形成された前記貫通孔より大きく前記空洞部より小さい口径に形成されていることを特徴とする請求項１又は２に記載のチェーン状装飾具。
【請求項４】
前記装飾体は真珠又は貴石であることを特徴する請求項１又は２に記載のチェーン状装飾具。
【発明の詳細な説明】
【技術分野】
【０００１】
本発明はネックレス、ブレスレットなどの装飾具に関するものであり、更に言えば長さ調整可能なチェーン状装飾具に関するものである。
【背景技術】
【０００２】
従来ネックレスなどのペンダントトップ（真珠・ダイヤなどの装飾具）は例えば特許文献１に開示されているようにチェーンにペンダントトップを装着し、このペンダントトップの左右に係止球を設けて、妄りに移動しないようにしている。この係止球は例えば同文献に開示されているように球その他の形状の装飾体に穿孔を設け、その孔にゴムチューブを挿入し、その後装飾体開口縁に絞り加工を施してゴムチューブが離脱しないようにしている。
【０００３】
このように、ペンダントトップとその左右に設けた係止球それぞれに加工を施し内部にゴムチューブを装着した後、開口縁に絞り加工を施すことは広く知られている。また、チェーンをループ状に曲げてその中央部にペンダントトップを装着し、このチェーンの両端を装飾体に挿通して内蔵したゴム質材で係止するものも知られている。
【特許文献１】実開昭５９−０３１９１３号公報
【発明の開示】
【発明が解決しようとする課題】
【０００４】
ところがチェーンをループ状に曲げてこれに挿通した装飾体で環状部の長さを調節する際に、前掲特許文献１のように装飾体に空洞部を形成してその開口からゴムなどのチューブを挿入した後、装飾体の開口縁を変形させてチューブ体を内蔵する方法を採用しようとすると次の不都合が生ずる。
【０００５】
まず、装飾体が例えば真珠或いは貴石のように折り曲げ等によって変形することができないときには上述の方法を採用することは不可能であり、また装飾体が金属など変形可能な材質であっても加工後の開口縁が美観を損ね、この開口縁によってチェーンが損傷される恐れがある。そこでゴムなどのチューブ体を接着剤で接合することが考えられるがこれもチューブ体が開口縁から露出して美観を損ね、また温度変化など使用過程で装飾体からチューブ体が離脱することがある。
【０００６】
そこで本発明は、ループ状に形成したチェーンを内部にゴム質材を装填した装飾体が容易に移動することが無く、装飾体内のゴム質材が使用過程で離脱することのないチェーン状装飾具の提供をその課題としている。
【課題を解決するための手段】
【０００７】
上記課題を解決するため、請求項１の発明は、真珠、貴石、貴金属などの装飾体に形成した一対の開口を有する空洞部と、この空洞部に装填されたシリコンゴムなどのエラストマー体と、上記エラストマー体に形成され上記一対の開口に連なる貫通孔と、上記貫通孔に挿通され中央部に環状ループを形成するチェーンとを備える。そして上記エラストマー体は、上記空洞部に上記開口から充填された未架橋状態のエラストマー材料を加熱架橋して形成し、このエラストマー体に形成した貫通孔に上記チェーンの両端部をそれぞれ挿通する。
【０００８】
また、請求項２の発明は、真珠、貴石、貴金属などの装飾体に形成した一対の開口を有する空洞部と、この空洞部に装填されたシリコンゴムなどのエラストマー体と、上記エラストマー体に形成され上記一対の開口に連なる貫通孔と、上記貫通孔に挿通され先端部に環状ループを形成する構成において、上記エラストマー体を上記空洞部に上記開口から充填した未架橋状態のエラストマー材料を加熱架橋して形成し、上記チェーンは一端部を上記装飾体に固定し、環状に形成されたチェーンの他端部は上記の貫通孔に挿通する。そして、請求項１及び２の発明において前記開口は前記エラストマー体に形成された前記貫通孔より大きく前記空洞部より小さい口径に形成する。
【発明の効果】
【０００９】
本発明で得られるチェーン状装飾具は長さ調整が可能で、しかもその調整位置にてその長さが留まるものであり、ループ状に形成したチェーンを内部にエラストマー体が装填された装飾体で自由な長さに調整することが可能である。
【発明を実施するための最良の形態】
【００１０】
ここで本発明の第１における好ましい例をもって更に説明すると、装飾体の開口に挿通されたチェーンは開口を介して左右に移動可能とし、しかも開口に熱可塑性エラストマーが充填されていることによってチェーンが移動された位置で前記エラストマーの弾発性によって留められることになる。このことを装飾体側から言えば、挿通されたチェーンに対し装飾体が左右に移動可能とされたものであり、その移動された位置にてエラストマーの弾発性によって留められることとなる。従って、チェーンの環状部の長さが自由に調整され、しかもその調整位置で装飾体が留まるため、環状部がそのまま保持されることとなるものである。
【００１１】
しかも、装飾体内に充填されたエラストマーは装飾体の内部に形成された空洞部にまで充填されているため、チェーンと装飾体との相対的な移動が繰り返されてもエラストマーが装飾体内より抜け出すことがないという特徴がある。
【００１２】
本発明にて用いられるエラストマーの好ましい例としてはシリコンエラストマーやポリウレタンエラストマー等の熱可塑性エラストマーであり、装飾体に形成された空洞と開口内に未架橋の流動性のある原液を注入し、これを加熱して架橋するものであり、これに針等にて孔を開けここにチェーンを挿通するものである。熱可塑性エラストマーは適度な弾発性と、耐摩耗性にすぐれた材質が望まれるものである。
【００１３】
本発明のチェーン状装飾具はネックレスやブレスレットに使用されることは勿論、リング、イヤリング、ピアスに適用できることはいうまでもない。
【００１４】
以下、本発明のチェーン状装飾具を図面をもって更に詳細に説明する。図１は本発明の第１のチェーン状装飾具の第１例を示す全体図であり、図２及び図３はその主要部の拡大断面図である。図中、符号１は装飾体、２はチェーンである。装飾体１はこの例では中空球体であり、その内部に空洞部３とこの空洞部３に連なる開口４が形成されている。そして、この空洞部３及び開口４にはシリコンエラストマー５が充填されており、更にこれに針等での小さな孔６が開けられ、この孔６内に一方を環状部７とした金属製チェーン２が挿通されている。符号８は環状部７内に嵌め込まれたペンダントトップであり、９は係止具であって、環状部７の反対側のチェーン２を環状部１０とするものである。この場合、図示したように環状部７側にペンダントトップ８等を嵌め込む側であり、係止具９によって形成される環状部１０は首を囲む側である。
【００１５】
このチェーン２をａ側に引くことによって、装飾体１側から言えば、ｂ側に移動することによって環状部１０が小さくなり、チェーン２は装飾体１におけるシリコンエラストマー５との摩擦抵抗によってその引かれた位置によって留まることとなる。一方、ｂ側にチェーン２を引くこと（装飾体１をａ側に移動）によって環状部１０が大きくなる。
【００１６】
この例における装飾具は環状部１０側を首にかけると、装飾体１より更に下方にペンダントトップ８が吊り下がる構成となる。従って、この装飾体１を環状部１０側に移動して留めることによって短尺のネックレスとなり、環状部７側に移動することによって長尺のネックレスとなる。このため１つのチェーン状装飾具によって衣服の襟元に合せて好みの長さが得られることとなったものである。
【００１７】
この例にあっては装飾体１は球形の中空体であり、この中空体に形成した空洞部３は開口４よりも大径をなしている。このためこれらに充填されたシリコンエラストマー５はチェーン２の移動を伴っても装飾体１内より抜け出してしまうことはなく半永久的な使用が可能である。勿論、装飾体１は貴金属製であっても或いは貴石でも更には真珠であってもよく、その材質、形状等は問わない。
【００１８】
更に、装飾体１における空洞部３は開口４と同径でなければよく、図例のように開口４より大径の空洞部３であったり、逆に開口４より小径の空洞部３であってもよい。即ち、開口４と空洞部３とは互いに異径（異形の断面）であればここに充填されたエラストマーが抜け出してしまうことはない。
【００１９】
図４は本発明の第１のチェーン状装飾具の第２例を示す全体図であり、チェーン２ａの一端が装飾体１の連結部１ｃに連結されており、この装飾体１にはチェーン２ｂが１本だけ挿通して係止具９を介して環状部１０を構成したものであり、他方端にペンダントトップ８が連結された例である。この場合も、装飾体１の構造は前例と同じであって、装飾体１をａ側に引けば環状部１０は大きなものとなり、ｂ側に引けば環状部１０は小さくなることは言うまでもない。
【００２０】
図５及び図６は前記した各例の変形例であり、いずれも係止具９をなくした構造である。尚、１１はチェーン２の抜け出し防止環である。
【００２１】
図７は本発明の第１のチェーン状装飾具の第３例であり、装飾体１に対しチェーン２をいずれかの側へ引っ張ることによって環状部７及び１０の大きさが変化するものである。
【００２２】
図８は本発明の第２のチェーン状装飾具の製法の一例を示す概念図である。この例は装飾体を貴金属の丸球にて構成した例を示すものであり、第１工程は先ず半球型１ａ及び１ｂをロウ付け加工或いは熱溶着加工によって丸球１を得、これに開口４を穿孔する。第２工程はこの丸球１を型２０内にセットし、未架橋シリコンゴムを丸球１内の空洞部３内に流し込み、この状態を維持して加熱して架橋させシリコンエラストマー５が丸球１内に充填された構造とする。第３工程はシリコンエラストマー５に針状物にて小さな開口６を開ける工程であり、最後に第４工程で開口６内にチェーン２を挿通して本発明のチェーン状装飾具が完成するものである。
【図面の簡単な説明】
【００２３】
【図１】本発明に係わる第１のチェーン状装飾具の第１例を示す全体図。
【図２】図１の主要部の拡大断面図。
【図３】装飾体にチェーンを挿通した状態の拡大断面図。
【図４】本発明に係わる第１のチェーン状装飾具の第２例を示す全体図
【図５】図１の変形例。
【図６】図４の変形例。
【図７】本発明に係わる第１のチェーン状装飾具の第３例を示す全体図。
【図８】本発明に係わる第２のチェーン状装飾具の製法の一例を示す概念図。
【符号の説明】
【００２４】
１  装飾体
１ｃ  連結部
２ａ，２ｂ  チェーン
３  空洞部
４  開口
５  エラストマー
６  孔
７  環状部（先端側）
８  ペンダントトップ
９  係止具
１０  環状部（首側）
１１  抜け防止環
【図１】
2005058799.tif 000003
【図２】
2005058799.tif 000004
【図３】
2005058799.tif 000005
【図４】
2005058799.tif 000006
【図５】
2005058799.tif 000007
【図６】
2005058799.tif 000008
【図７】
2005058799.tif 000009
【図８】
2005058799.tif 000010